(57)【要約】  【課題】  ボディトリートメントの開始から終了までのボディチェックの結果を記録して、ボディを美しく整えるように絶えずモチベーションを向上させるとともに、カルテ等の管理が一冊でできるボディトリートメント管理ノートを提供することを目的とする。  【解決手段】  ボディトリートメントの初回と、初回から終了回までの略一定適数回ごとの写真とを比較する頁と、ウエスト１１、ヒップ１２、太もも１３、ひざ関節１４、ふくらはぎ１５、足首１６の６項目のバランスを理想の正六角形１７と比較する目安サイズグラフ１０の頁、ボディトリートメント施術時のカルテの頁等、ボディートリートメントに必要な情報を、一人に付き一冊のノートですべて管理できるようにした。【選択図】    図６
2008073954.tif 000002
【特許請求の範囲】
【請求項１】
顧客の氏名・生年月日・体重等の個人情報と希望体重やサイズ等の目標値を記載した会員申込書の貼付頁と、
一日の生活・食事パターンや肌質などの状況を記載した各種チェックシートのある頁と、
ボディトリートメント施術初回の写真と初回から施術終了回までの施術略一定適数回ごとの写真とを比較容易に貼付する頁と、
前記写真の撮影回ごとに採寸したウエスト・ヒップ・太もも・ひざ関節・ふくらはぎ・足首の６項目の値を記入して、ボディバランスを一目で確認できる目安サイズグラフの頁と、
ボディトリートメント施術ごとの身体部位のサイズ及び施術方法を記録するとともに前記一定適数回ごとの写真撮影を指示してなるカルテの頁と、
施術コース等の各種契約関係書類を貼付する頁とを、
一冊のノートに備えてなるボディトリートメント管理ノート。
【請求項２】
前記目安サイズグラフは、ウエスト、ヒップ、太もも、ひざ関節、ふくらはぎ、足首の理想寸法をプロットした正六角形の値とし、ここに顧客の採寸された対応部位の値を書き込むことにより、理想値との偏差を努力目標値として示すことを特徴とする請求項１記載のボディトリートメント管理ノート。
【請求項３】
前記カルテの頁は、胃、ウエスト、ヒップ、太もも、ひざ関節、ふくらはぎ、足首、腕等及び体重の採寸又は計量測定結果と、そのトリートメント初回との差値を記入する欄と、全体採寸や写真撮影等の指導欄と、施術したトリートメントの種類と消化数および使用した商品名と出庫数とを記入する欄と、顧客の確認欄とを備えてなることを特徴とする請求項１又は２記載のボディトリートメント管理ノート。
【請求項４】
コース完了確認及び感想文の記載欄の頁を、更に備えてなることを特徴とする請求項１、２又は３記載のボディトリートメント管理ノート。
【発明の詳細な説明】
【技術分野】
【０００１】
本発明は、エステティックサロン等で、女性客一人一人にあわせて素肌やボディを美しく整えるケアを実践するための管理ノートに関する。
【背景技術】
【０００２】
近年、単なる痩身の為だけでなく、心と素肌とボディを美しく整えるエステが脚光を集めている。
今迄、エステの現場では、女性客一人一人のボディサイズ、肌質の状況、食生活の状況等、それぞれの状況に合わせた最適のトリートメントが施術されているが、その都度の記録をカルテに記載するだけで、ボディトリートメントの開始から終了まで、或いは幾度かにわたる施術コースの状況や成果をまとまった形で記録したノートを採用している所はない。
ただし、ボディトリートメント管理のためのノートではないが、例えば、在宅介護において医師やヘルパー等の介護者と被介護者の家族との連絡を密に行うためのノートは、次の特許文献１の如く存在している。これは、被介護者の１日の投薬時刻や種類、朝・昼・晩の食事の内容、間食の状況、風呂・シャワー等の状況等必要事項の記載欄を設けて、介護の状況を把握しやすくした在宅介護連絡ノートである（例えば、特許文献１参照）。
【特許文献１】特開２０００−１６８２７２号公報
【発明の開示】
【発明が解決しようとする課題】
【０００３】
本発明は、上記の点に鑑み、エステティックサロンなどにおいて、顧客のボディトリートメント管理を効果的に行うために創案したノートで、顧客側においては、個人のボディトリートメント開始から終了までのボディチェックの結果を記録して絶えずモチベーションを向上させるとともに、エステティックサロン側においては、個人特定情報、契約書類、カルテ等全ての情報を一冊のノートで管理できる使い勝手の良いボディトリートメント管理ノートを提供することを目的とする。
【課題を解決するための手段】
【０００４】
上記の課題を解決するため、本発明のボディトリートメント管理ノートは、
（ａ）顧客の氏名・生年月日・体重等の個人情報と希望体重やサイズ等の目標値を記載した会員申込書の貼付頁と、
（２）一日の生活・食事パターンや肌質などの状況を記載した各種チェックシートのある頁と、
（ｂ）ボディトリートメント施術初回の写真と初回から施術終了回（例えば３２回目）までの施術略一定適数回（例えば８回）ごとの写真とを比較容易に貼付する頁と、
（ｃ）前記写真の撮影回ごとに採寸したウエスト・ヒップ・太もも・ひざ関節・ふくらはぎ・足首の６項目の値を記入してボディバランスを一目で確認できる目安サイズグラフの頁と、
（ｄ）ボディトリートメント施術ごとの身体部位のサイズ及び施術方法を記録するとともに前記一定適数回ごとの写真撮影を指示してなるカルテの頁と、
（ｅ）施術コース等の各種契約関係書類を貼付する頁とを、
一冊のノートにまとめて具備したことを特徴としている。
【０００５】
前記目安サイズグラフは、ウエスト、ヒップ、太もも、ひざ関節、ふらはぎ、足首の理想寸法値をプロットして正六角形とし、ここに被施術者の採寸された部位ごとの値を書き込むことにより、理想値との偏差を努力目標値として一目瞭然に示すことを特徴とし、具体的には、例えばウエスト５８ｃｍ、ヒップ８３ｃｍ、太もも４５ｃｍ、ひざ関節３５ｃｍ、ふらはぎ３２ｃｍ、足首２０ｃｍをプロットしたものを理想の正六角形の値とし、その値と顧客の採寸された値との偏差を埋めるための努力目標を、一目瞭然に示すことを特徴としている。なお、この目安サイズは、本出願人の過去のデータの統計による理想値である。
【０００６】
前記ボディトリートメント施術時のカルテは、胃、ウエスト、ヒップ、太もも、ひざ関節、ふくらはぎ、足首、腕等及び体重の採寸又は計量測定結果とそのトリートメント初回との差値を記入する欄と、指導欄と、施術したトリートメントの種類と消化数と、使用した商品名と出庫数と、顧客の確認欄等とを備えていることを特徴とする。
この指導欄には、回数ごとに異なった指導者向けのアドバイス、例えば全体採寸や写真撮影等の指示を記載したアドバイス欄と、指導者のコメントを記載するコメント欄とを設けることができる。
また、被施術者の氏名、住所、生年月日等の情報記入の頁は勿論だが、コース完了確認及び感想文を記載する確認欄の頁を設けることもできる。
【発明の効果】
【０００７】
本発明のボディトリートメント管理ノートによれば、次のような効果を奏する。
（１）ボディトリートメントの開始から終了までのボディの状態を初回と適数回後の写真で比較して、或いは目安サイズグラフに採寸結果をプロットして、回数ごとに一目瞭然にボディが整って美しくなっていることが分かるので、絶えずモチベーションを向上させることができる。
（２）エステティックサロン側においては、カルテの管理が一冊にまとまってできるため、一枚一枚のカルテやチェックシート等をファイルする必要がなく、また紛失等のおそれも少なくなる。
【発明を実施するための最良の形態】
【０００８】
以下、本発明を図面に示す一形態例に基づいて説明する。
図１は会員申込書を貼付するための頁を示す図、図２はボディトリートメント管理ノートの写真を貼付する頁を示す図、図３は面接によるアンケート用紙を貼付するための頁を示す図、図４は一日の生活・食事パターンなどを記載した生活チェックシート等を貼付するための頁を示す図、図５は肌質のチェックシート欄の頁を示す図、図６は目安サイズグラフを示す図、図７はコメントコーナーの頁示す図、図８はボディトリートメントの施術状況のカルテを示す図、図９は入会契約書を貼付する頁を示す図、図１０はコース完了確認及び感想文の欄を示す図である。
【０００９】
本発明のボディトリートメント管理ノートは、構造的には、通常の左綴じ右開きのトートと同一であるが、エステティックサロン等で、顧客の痩身、ボディートリートメント等の管理に用いるものであり、このノート一冊でその顧客の必要情報を全て管理する。
まず、図示しない表紙の表面には、会員番号、氏名、入会年月日、会員有効期間等の記入欄を設け、その裏面には生年月日、職業、住所、勤務先等の記入欄を設ける。
次いで、次頁には、図１に示すように、氏名・生年月日・体重等や嗜好、健康状態等の個人情報と、希望体重や身体部位のサイズ等の目標値を記載した会員申込書を貼付するための頁１を設ける。ここには、顧客自らに記載してもらったカウンセリング申込書等を貼付して、トリートメント開始前のボディ状態をすぐに確認できるようにしておく。ノートに貼付することによって、申込書の紛失を防止できる。
【００１０】
そして、次からは数頁に亘って図２に示すような顧客の全体写真貼付欄の頁を設ける。
ここには、ボディトリートメント施術初回と、初回から終了回、例えば施術３２回目までの施術８回目ごとの正面の写真（初回２、８回目４）と横面の写真（初回３、８回目５）及び撮影年月日６を記録する。また、必要に応じて、背面の写真貼付欄を設け、ここに背面写真を記録することもできる。なお、施術３２回目及び８回目ごととは、あくまでも目安（例示）であって、それに限定されるものではない。
これらの写真により、ボディトリートメント開始から、ボディトリートメントの進行に伴ってボディの状態が美しく整えられていくのがわかり、より美しくなろうとするモチベーションが向上する。
【００１１】
次いで、図３に示すような、面接によるアンケート用紙を貼付するための頁７を設ける。また、図４に示すような、一日の生活・食事パターンなどを記載した生活チェックシート等を貼付するための頁８を設ける。これらの面接ないし食事パターン等の記録をこのノートに貼付しておくことにより、何時でも確認できるとともに紛失を防ぐことができる。
また、一日の生活・食事パターンなどを把握しておくことで、その改善に役立てることができる。
【００１２】
そして、次の図５は、肌質のチェックシート欄の頁９で、肌の状態を乾燥度合等から８段階に分類してチェックする。肌は脂っぽい方ですかとか、化粧品や香水でかぶれたことがありますかとか、幾つかの質問を記載し、それをイエス、ノーで回答させる簡単なものである。肌質の状態を知ることで、その人その人に応じたきめ細かなボディトリートメントを行うことができる。
【００１３】
そして次に、図６に示すような目安サイズグラフ１０が掲載される。
この目安サイズグラフ１０は、出願人の過去のデータを基に作成したもので、ウエスト、ヒップ、太もも、ひざ関節、ふくらはぎ、足首の６項目の採寸結果がバランスのとれたものであるかどうかを、これら６つの座標（ウエスト１１、ヒップ１２、太もも１３、ひざ関節１４、ふくらはぎ１５、足首１６）にプロットし、その６つの点を結び、その形を理想の正六角形１７と比べて、自分の短所をその偏差により確認するものである。ここで理想の正六角形１７とは、ウエスト５８ｃｍ、ヒップ８３ｃｍ、太もも４５ｃｍ、ひざ関節３５ｃｍ、ふくらはぎ３２ｃｍ、足首２０ｃｍを、６つの座標１１〜１６にプロットし、プロットした値同士を線で結んだものである。そして、理想の正六角形１７に近づけるように、短所を重点的にトリートメントして修正する。これにより施術すべき箇所が明瞭になり、目標設定がし易くなる。なお、このグラフのための採寸及び記入時期は、図２に示す写真の撮影回と対応させるとよい。この対応により、視覚と数値とでその時々の自己の状態が把握できて好適である。
図７はコメントコーナーの頁１８で、入会時と終了時のコメント記載欄を備えている。これにより、会員がどのような意識でボディトリートメントに取り組んできたかを把握することができる。
【００１４】
次に、図８はボディトリートメントの施術状況（例えば、１回目から３２回目まで）を示すカルテ１９、２０…で、同図にも示すとおり、日付や時間の欄と、胃、ウエスト、腹部、ヒップ、太もも、ひざ関節、ふくらはぎ、足首、腕及び体重の採寸又は計量測定結果とそのトリートメント初回との差値を記入する欄とが設けられている。
また、商品説明、トリートメント後のアドバイス、食事指導、水分指導等、各回ごとの指導欄とコメント欄も設けられている。この指導欄には、特に、全体採寸や写真撮影等の指示を適数回ごと（例えば、１回、８回、１６回、２４回、３２回）に記載しておく。この全体採寸と写真撮影は、共に同じ回に行い、全体採寸を図６に示す目安サイズグラフに書き込み、同時に撮影写真を図２の写真貼付欄に貼り付ける。これにより、その時々のボディバランス状況と身体の様子とが、視覚により分かり易く把握することができる。
更に、施術したトリートメントの種類と消化数と、使用した商品の商品名と出庫数と、顧客の確認欄なども設けられている。たとえば、通常は１回目から３２回目ぐらいまでのカルテを備えているが、図８は１回目と２回目のカルテを示している。
【００１５】
そして、図９は入会契約書を貼付する頁２１で、ここに顧客と結んだ契約書を貼付しておく。これにより紛失を防止できるとともに、常に契約内容を確認できる。また、過去の契約コースなども一冊のノート内に貼付されているので、確認が容易であり、次回の契約に役立てることもできる。
また、最後には、図１０に示すように、コース完了確認欄と、被施術者の感想文または気付いた点の記載欄を設けた頁２２が設けられる。
【００１６】
このノートによれば、契約したトリートメントコースの回数ごとに行うべき施術が指導欄等に記載されているので、単にカルテの頁を見て、その回ごとの指導欄の指示に従った施術を行うだけで、良好なトリートメント効果を得ることができる。また、例えば、８の倍数等、所定回ごとに全体採寸と写真撮影の指示があるので、その指示に従って採寸及び撮影を行うだけで、目安サイズグラフや比較写真などが作成でき、これによりボディバランスを一目で確認できる。また、このノート１冊で複数のコースに対応できるので、一つのコースが終わっても、次のコースを契約したときには、またこのノートを用いてその同じ顧客を管理することができる。なお、これらの実施例における各頁の並びは一つの例示にすぎず、並べる順序は任意である。
【図面の簡単な説明】
【００１７】
【図１】本発明の会員申込書を貼付するための頁を示す図である。
【図２】同じくボディトリートメント管理ノートの写真を貼付する頁を示す図である。
【図３】同じく面接によるアンケート用紙を貼付するための頁を示す図である。
【図４】同じく一日の生活・食事パターンなどを記載した生活チェックシート等を貼付するための頁を示す図である。
【図５】同じく肌質のチェックシート欄の頁を示す図である。
【図６】同じく目安サイズグラフを示す図である。
【図７】同じくコメントコーナーの頁を示す図である。
【図８】同じくボディトリートメントの施術状況のカルテを示す図である。
【図９】同じく入会契約書を貼付する頁を示す図である。
【図１０】同じくコース完了確認及び感想文の欄の頁を示す図である。
【符号の説明】
【００１８】
１    会員申込書を貼付するための頁
２    初回の正面の写真
３    初回の横面の写真
４    ８回目の正面の写真
５    ８回目の横面の写真
６    撮影年月日
７    アンケート用紙の貼付頁
８    生活チェックシートの貼付頁
９    肌質のチェックシート欄の頁
１０    目安サイズグラフ
１１    ウエストの座標
１２    ヒップの座標
１３    太ももの座標
１４    ひざ関節の座標
１５    ふくらはぎの座標
１６    足首の座標
１７    理想の正六角形
１８    コメントコーナーの頁
１９    初回のカルテ
２０    ２回目のカルテ
２１    入会契約書の貼付頁
２２    コース完了確認及び感想文の欄の頁
【図１】
2008073954.tif 000003
【図２】
2008073954.tif 000004
【図３】
2008073954.tif 000005
【図４】
2008073954.tif 000006
【図５】
2008073954.tif 000007
【図６】
2008073954.tif 000008
【図７】
2008073954.tif 000009
【図８】
2008073954.tif 000010
【図９】
2008073954.tif 000011
【図１０】
2008073954.tif 000012